(57)【特許請求の範囲】
【請求項１】
入浴者が浴槽内に入浴したままの状態で行う所定の動作を、その所定の動作に伴って浴槽もしくは浴槽内に生じる物理状態の変化によって検出する動作検出手段と、
前記動作検出手段にて前記所定の動作が検出されるに伴って、浴室内もしくは浴室外に設置されている浴室用機器としての音響機器、照明装置、換気扇、浴室暖房乾燥機、床暖房装置のうち何れか１つ以上の作動を前記所定の動作に対応させた操作内容で制御する制御手段とを備え、
前記動作検出手段が、前記物理状態の変化として浴槽内の水位変化を検出可能な水位センサにおいて前記所定の動作にそれぞれ対応するあらかじめ設定した出力波形の特徴検出により異なった前記所定の動作を識別する、あるいは前記物理状態の変化として複数設定した検出領域における振動の発生を検出することにより各検出領域に対応した前記所定の動作を識別する構成で、さらに、入浴者が入浴した状態のときに、前記制御手段を作動状態にし、入浴者が入浴していない状態のときには、前記制御手段を非作動状態にする起動制御手段が設けられている浴室用機器の制御装置。
【請求項２】
前記動作検出手段が、前記振動の発生を検出する検出領域を浴槽の縁部に複数設定し、前記複数の検出領域の何れかで発生する振動を浴槽の異なる位置で検出する複数の振動検出センサを備え、
前記複数の振動検出センサからの検出情報に基づき、前記振動の発生した前記各検出領域を特定することにより、前記各検出領域に対応した前記所定の動作を識別する請求項１記載の浴室用機器の制御装置。
【請求項３】
前記動作検出手段が、前記振動の発生を検出する検出領域を浴槽内の湯面上又は水中に複数設定し、前記複数の検出領域の何れかで発生する振動を浴槽内の異なる位置で検出する複数の振動検出センサを備え、
前記複数の振動検出センサからの検出情報に基づき、前記振動の発生した前記各検出領域を特定することにより、前記各検出領域に対応した前記所定の動作を識別する請求項１記載の浴室用機器の制御装置。
【請求項４】
前記制御手段が、前記浴室用機器としての音響機器の作動を制御するものである請求項１〜３のいずれかに記載の浴室用機器の制御装置。
【発明の詳細な説明】
【０００１】
【発明の属する技術分野】
本発明は、浴室内もしくは浴室外に設置されている浴室用機器を浴室内の入浴者が操作するための浴室用機器の制御装置に関する。
【０００２】
【従来の技術】
上記浴室用機器の制御装置では、従来、浴室用機器の一例として浴室外に設置されているオーディオ機器で再生された音楽を聴きながら入浴する場合、入浴者が浴室外のオーディオ機器を操作するには、浴室内に設置された風呂リモコンもしくはオーディオ機器付属のリモコンを操作するしか方法がなかった（第１の従来技術とする）。
尚、上記浴室用機器には、オーディオ機器の他に、浴室内の照明装置や換気扇、風呂追炊き装置等が含まれ、これらの浴室用機器を作動もしくは停止させるには、浴室内に設置されている専用のスイッチ等を操作することが必要であった。
また、関連する技術として、特許第２９２８５８０号公報に、入浴に伴って浴槽内の水位上昇が検出されると、オーディオ機器で再生した音楽等を浴室リモコンに内蔵したスピーカーから浴室内に流し、水位低下が検出されると音楽等の再生を停止させるようにした技術が開示されている（第２の従来技術とする）。
【０００３】
【発明が解決しようとする課題】
前記第１の従来技術では、入浴者が風呂リモコンもしくはオーディオ機器付属のリモコンに備えた操作ボタンの位置をいちいち目で見て確認しながら操作する必要があるため、操作が面倒で手軽に操作できないという問題があった。尚、照明装置等の浴室用機器の場合にも、スイッチを確認して操作する必要があり、同様の問題があった。
また、第２の従来技術では、入浴者の浴槽内への出入に伴う水位変化によってオーディオ機器の作動が自動的に制御されるため、入浴者がオーディオ機器を自由に操作することができないという問題があった。
【０００４】
本発明は、上記問題点に鑑みてなされたものであり、その目的は、入浴者が浴槽内に入浴したままの状態で浴室用機器を手軽に操作することが可能となる浴室用機器の制御装置を提供することである。
【０００５】
【課題を解決するための手段】
この目的を達成するための本発明に係る浴室用機器の制御装置の第一の特徴構成は、特許請求の範囲の欄の請求項１に記載した如く、入浴者が浴槽内に入浴したままの状態で行う所定の動作を、その所定の動作に伴って浴槽もしくは浴槽内に生じる物理状態の変化によって検出する動作検出手段と、前記動作検出手段にて前記所定の動作が検出されるに伴って、浴室内もしくは浴室外に設置されている浴室用機器としての音響機器、照明装置、換気扇、浴室暖房乾燥機、床暖房装置のうち何れか１つ以上（以下、本明細書において「浴室用機器」と略する。）の作動を前記所定の動作に対応させた操作内容で制御する制御手段とを備え、前記動作検出手段が、前記物理状態の変化として浴槽内の水位変化を検出可能な水位センサにおいて前記所定の動作にそれぞれ対応するあらかじめ設定した出力波形の特徴検出により異なった前記所定の動作を識別する、あるいは前記物理状態の変化として複数設定した検出領域における振動の発生を検出することにより各検出領域に対応した前記所定の動作を識別する構成で、さらに、入浴者が入浴した状態のときに、前記制御手段を作動状態にし、入浴者が入浴していない状態のときには、前記制御手段を非作動状態にする起動制御手段が設けられている浴室用機器の制御装置である点にある。
【０００６】
同第二の特徴構成は、特許請求の範囲の欄の請求項２に記載した如く、上記第一の特徴構成に加えて、前記動作検出手段が、前記振動の発生を検出する検出領域を浴槽の縁部に複数設定し、前記複数の検出領域の何れかで発生する振動を浴槽の異なる位置で検出する複数の振動検出センサを備え、前記複数の振動検出センサからの検出情報に基づき、前記振動の発生した前記各検出領域を特定することにより、前記各検出領域に対応した前記所定の動作を識別する点にある。
【０００７】
同第三の特徴構成は、特許請求の範囲の欄の請求項３に記載した如く、上記第一の特徴構成に加えて、前記動作検出手段が、前記振動の発生を検出する検出領域を浴槽内の湯面上又は水中に複数設定し、前記複数の検出領域の何れかで発生する振動を浴槽内の異なる位置で検出する複数の振動検出センサを備え、前記複数の振動検出センサからの検出情報に基づき、前記振動の発生した前記各検出領域を特定することにより、前記各検出領域に対応した前記所定の動作を識別する点にある。
【０００８】
同第四の特徴構成は、特許請求の範囲の欄の請求項４に記載した如く、上記第一から第三のいずれかの特徴構成に加えて、前記制御手段が、前記浴室用機器としての音響機器の作動を制御するものである点にある。
【００１０】
【００１１】
【００１２】
以下に作用並びに効果を説明する。
本発明の第一の特徴構成によれば、入浴者が浴槽内に入浴したままの状態で行う所定の動作が、その所定の動作に伴って浴槽もしくは浴槽内に生じる物理状態の変化によって検出され、その所定の動作の検出に伴って、浴室内もしくは浴室外に設置されている浴室用機器の作動が上記所定の動作に対応させた操作内容で制御される。
すなわち、入浴者が浴槽内に入浴したままの状態で行う所定の動作には予め浴室用機器に対する操作内容が対応づけられており、その所定の動作が浴槽もしくは浴槽内に生じる物理状態の変化によって検出されると、その所定の動作に対応させた操作内容で浴室用機器の作動が制御される。
従って、入浴者が浴槽内に入浴したままの状態で所定の動作を行うことによって、浴室用機器を操作することができるので、リモコンの操作ボタンの位置を確認しながら操作するような面倒な操作をする必要がなく、入浴者が浴槽内に入浴したままの状態で浴室用機器を手軽に操作することが可能となる浴室用機器の制御装置が提供される。
さらに、入浴者の入浴状態を検出すると、起動制御手段が、前記制御手段を作動状態にする。
すなわち、入浴者の入浴状態が検出されると、前記動作検出手段だけが作動状態になっているのに加えて前記制御手段が作動状態になる。
従って、入浴者が入浴状態のときにだけ、入浴者が行う前記所定の動作検出に基づく浴室用機器の作動制御が実行されるので、入浴者が入浴していない状態で浴室用機器の作動制御を実行するような不都合を回避させることが可能となる。
【００１３】
さらに、前記物理状態の変化として浴槽内に生じる水位変化を検出対象とする場合、水位変化が水位センサで検出され、その水位センサの出力波形の特徴検出により前記所定の動作が識別される。
すなわち、入浴者が浴槽内に入浴したままの状態で行う所定の動作が、浴槽内の水位変化を検出可能な水位センサの出力波形の特徴検出により識別されて検出され、その所定の動作に対応させた操作内容で浴室用機器の作動が制御される。
従って、入浴者が浴槽内の水位を変化させる動作を行うことで、浴室用機器を所定の操作内容で作動させることができるので、自動給湯風呂等に既設の水位センサを有効に活用して装置構成の追加を極力避けながら、浴室用機器を手軽に操作することが可能な浴室用機器の制御装置の好適な実施手段が提供される。
【００１４】
一方、前記物理状態の変化として振動を検出対象とする場合、振動の発生が検出され、その振動の発生の検出により前記所定の動作が識別される。
すなわち、入浴者が浴槽内に入浴したままの状態で行う所定の動作が、浴槽もしくは浴槽内に発生する振動の検出により識別されて検出され、その所定の動作に対応させた操作内容で浴室用機器の作動が制御される。
従って、入浴者が浴槽もしくは浴槽内に振動を発生させる動作を行うことで、浴室用機器を所定の操作内容で作動させることができるので、例えば浴槽の所定位置を叩いて振動を発生させるような簡単な動作で浴室用機器を作動させることができ、浴室用機器を手軽に操作することが可能な浴室用機器の制御装置の好適な実施手段が提供される。
【００１５】
同第二の特徴構成によれば、浴槽の縁部に複数設定した検出領域で発生した振動が浴槽の異なる位置で複数の振動検出センサによって検出され、その複数の振動検出センサの検出情報に基づいて上記浴槽の縁部上の複数の検出領域の何れで振動が発生したかが特定される。
すなわち、上記浴槽の縁部の複数の検出領域には予め浴室用機器に対する複数の操作内容が対応づけられており、入浴者がその複数の検出領域の何れかで振動を発生させると、その振動が浴槽を伝播して異なる位置の複数の振動検出センサによって検出されて振動が発生した検出領域が特定され、その特定された検出領域に対応させた操作内容で浴室用機器の作動が制御される。
従って、浴槽内に入浴した姿勢の入浴者が手等を使って浴槽の縁部の各検出領域を叩くような動作により、浴室用機器に対して複数の操作をすることが可能となるので、操作の機能が種々あるような浴室用機器に対しても良好な操作を行うことが可能となる。
【００１６】
同第三の特徴構成によれば、浴槽内の湯面上又は水中に複数設定した検出領域で発生した振動が浴槽内の異なる位置で複数の振動検出センサによって検出され、その複数の振動検出センサの検出情報に基づいて上記浴槽内の湯面上又は水中の複数の検出領域の何れで振動が発生したかが特定される。
すなわち、上記浴槽内の湯面上又は水中の複数の検出領域には予め浴室用機器に対する複数の操作内容が対応づけられており、入浴者がその複数の検出領域の何れかで振動を発生させると、その振動が浴槽内を伝播して異なる位置の複数の振動検出センサによって検出されて振動が発生した検出領域が特定され、その特定された検出領域に対応させた操作内容で浴室用機器の作動が制御される。
従って、浴槽内に入浴した入浴者が手等を使って浴槽内の湯面上又は水中の各検出領域を叩くような動作により、浴室用機器に対して複数の操作をすることが可能となるので、操作の機能が種々あるような浴室用機器に対しても良好な操作を行うことが可能となる。
【００１７】
同第四の特徴構成によれば、入浴者が行う前記所定の動作によって、浴室用機器としての音響機器の作動が制御される。
従って、入浴者が浴槽内に入浴したままの状態で手軽に音響機器を操作することができるので、音響機器から再生される音楽等を聴いてリラックスしながら入浴するような場合に、例えばリモコンスイッチを操作するような面倒な操作によってリラックス状態を中断するような不利を回避しながら、リラックス状態を極力継続することが可能となる浴室用機器の制御装置が提供される。
【００１９】
【発明の実施の形態】
〔第１実施形態〕
本発明に係る浴室用機器の制御装置の第１実施形態を図面に基づいて説明する。  図１に示すように、給湯路６を通して浴室９内の浴槽５に給湯するための給湯機Ｋに、ガス燃焼式のバーナを備えた給湯部１と、その給湯部１の運転を制御するコントローラ２とが設けられ、さらに、そのコントローラ２に夫々通信可能に接続された風呂リモコン３及び台所リモコン４等が設けられて、自動給湯風呂が構成されている。尚、風呂リモコン３は浴室９の横壁部に設置されている。
【００２０】
前記浴槽５内の水位を検出する水位センサ７が設けられ、この水位センサ７の検出情報が前記コントローラ２に入力されている。水位センサ７は、具体的には、前記給湯路６の浴槽５への連通箇所に設けた圧力センサにて構成されている。すなわち、浴槽５内の水位が上昇すると、圧力センサにて検出される圧力が高くなるので、その圧力検出値に基づいて浴槽５内の水位が検出される。
【００２１】
図２に示すように、前記風呂リモコン３には、前記コントローラ２と通信自在に接続された制御部３０と、この制御部３０に接続される状態で、各種の情報を表示する表示部３１、浴室９内に音響を放出するスピーカー３２、アップダウン式の変更キー３３、運転スイッチ３４、自動湯張りスイッチ３５等が設けられている。尚、図示は省略するが、前記台所リモコン４も、上記風呂リモコン３と同様に構成されている。
【００２２】
入浴者が浴槽５内に入浴したままの状態で行う所定の動作を、その所定の動作に伴って浴槽５もしくは浴槽５内に生じる物理状態の変化によって検出する動作検出手段１０１と、前記動作検出手段１０１にて前記所定の動作が検出されるに伴って、浴室内もしくは浴室外に設置されている浴室用機器Ｙの作動を前記所定の動作に対応させた操作内容で制御する制御手段１００が設けられている。  具体的には、上記動作検出手段１０１は、前記水位センサ７と風呂リモコン３の制御部３０とを利用して構成されている。尚、この場合に、風呂リモコン３の制御部３０は、前記水位センサ７の検出情報を前記コントローラ２を経由して入手して、上記検出処理を実行する。
【００２３】
また、前記制御手段１００は、風呂リモコン３の制御部３０を利用して構成されて、浴室用機器Ｙとしての音響機器の作動を制御するものである。音響機器は音楽等を発生するオーディオ機器８であって、浴室外に設置されている。尚、オーディオ機器８は、ＣＤ，ＭＤ，ラジオ等の各種音源を選択できるタイプの機器であり、それらの音源から再生された音楽等は風呂リモコン３のスピーカー３２によって浴室内に放出される。
【００２４】
さらに、前記風呂リモコン３の制御部３０を利用して、入浴者の入浴状態を検出して、前記制御手段１００を作動状態にする起動制御手段１０２が設けられている。具体的には、起動制御手段１０２は、浴槽５内の水位が所定レベルまで上昇したことが前記水位センサ７で検出されるまでは、前記制御手段１００を非作動状態にし、浴槽５内の水位が所定レベルまで上昇して、入浴者が浴槽内に入浴した状態であることが確認されると、前記制御手段１００を非作動状態から作動状態にするように制御する。  尚、上記のように水位センサ７の検出情報に基づいて起動制御を行う代わりに、例えば、入浴者が入浴状態で前記風呂リモコン３の変更キー３３によってオーディオ機器操作モード等に設定したことを確認して、上記起動制御を行うようにしてもよい。
【００２５】
次に、図３及び図４によって、前記動作検出手段１０１の具体構成について説明する。前記動作検出手段１０１は、前記物理状態の変化として浴槽５内の水位変化を検出可能な前記水位センサ７の出力波形の特徴検出により前記所定の動作を識別するように構成されている。  例えば、入浴者が手で水面をかき回した場合の水位センサ７の出力波形を図３（イ）に示し、足で前記給湯路６の浴槽５への連通口付近をかき回した場合の水位センサ７の出力波形を図３（ロ）に示す。尚、この水位センサ７の出力波形は、水位センサ７の出力信号を１０Ｈｚ以下の通過帯域特性のローパスフィルタを通した後の信号波形である。
図から判るように、手又は足の動作によって出力波形は大きく変化するが、その波形の立ち上がりの鋭さによって両者の動作を区別することができる。因みに、図では、足でかき回した場合の方が手でかき回した場合よりも波形の立ち上がりが鋭くなっている。さらに、各出力波形における波の回数（手や足を動かした回数に対応する）や波の強さ（波形の振幅）を検出する。そして、立ち上がり波形の鋭さで区別された手と足の各動作に、例えば波の回数（１回、２回、３回等）をパラメータとして組み合わせて、複数のパターンを出力波形の特徴として設定し、各パターンに、前記オーディオ機器８に対する音楽再生、停止、早送り、次曲入（次曲に切り替え）などの各操作を対応づける。  なお、図示はしないが、給湯路６の浴槽５への連通口付近を足で叩いた場合は、かき回す場合よりも水位センサ７の出力波形の立ち上がりがさらに鋭くなり、手や足でかき回す場合と足で叩く場合の動作判別が可能となるため、それらの各動作に波の回数等を組み合わせた各パターンに、上記オーディオ機器８の各操作を対応づけることが可能となる。
【００２６】
次に、入浴者が一定速度で呼気吸気を繰り返した場合の水位センサ７の出力波形を図４（イ）に示し、呼気吸気の後１回分の時間だけ呼吸を止めた場合の水位センサ７の出力波形を図４（ロ）に示す。尚、この水位センサ７の出力波形は、水位センサ７の出力信号を０．４Ｈｚ以下の通過帯域特性のローパスフィルタを通した後の信号波形である。  図から判るように、呼気吸気の後１回分の時間だけ呼吸を止める場合の出力波形では水位変化しない期間が存在するパターンであるのに対し、呼気吸気を連続的に繰り返す場合の出力波形では水位変化しない期間が存在しないパターンであることから、両者の呼吸動作（途中で呼吸を止めない場合と止める場合）を区別することができる。そして、上記呼吸の各パターンに、前記オーディオ機器８による音楽再生、停止の各操作を対応づける。
【００２７】
そして、上記図３及び図４のいずれの場合でも、波の強さ（振幅）が設定レベル以上の条件で、水位センナ７の出力波形から上記各パターンが検出されると、その各所定パターンに対応した操作内容でオーディオ機器８の作動が制御される。この場合に、オーディオ機器８に対する操作内容は、入浴者の確認に便利なように、風呂リモコン３の表示部３１に文字表示されるか、あるいは、スピーカー３２による音声で知らされる。
【００２８】
図５に第１実施形態における制御構成のブロック図を示す。図において、風呂リモコン３の制御部３０内に、前記水位センサ７の検出信号に基づいて、水位変化波形の振幅を検出する強さ検出部３０ａと、水位変化信号の所定パターンを特定するパターン検出部３０ｂが設けられ、さらに、これらの各検出部３０ａ，３０ｂの検出情報に基づいて、前記オーディオ機器８に対する操作内容（イベント）を検出するイベント検出部３０ｃが設けられている。  そして、上記強さ検出部３０ａ、パターン検出部３０ｂ及び前記水位センサ７によって前記動作検出手段１０１が構成され、上記イベント検出部３０ｃによって前記制御手段１００が構成されている。
【００２９】
〔第２実施形態〕
次に、本発明に係る浴室用機器の制御装置の第２実施形態について説明する。  この第２実施形態では、前記動作検出手段１０１及び前記制御手段１００の具体構成が異なる点を除いて、上記第１実施形態と同様に構成されている。即ち、前記動作検出手段１０１が、前記物理状態の変化として振動の発生を検出することにより前記所定の動作を識別するように構成されている。
【００３０】
具体的には、図６に示すように、前記動作検出手段１０１が、前記振動の発生を検出する検出領域Ｍを浴槽５の縁部に複数設定して、その複数の検出領域Ｍの何れかで発生する振動を浴槽５の異なる位置で検出する複数の振動検出センサ１６を備えている。上記検出領域Ｍは、入浴者の左右両側及び前側の浴槽縁部上に９個設定され、振動検出センサ１６は歪みゲージにて構成されて、浴槽５の縁部上の４隅箇所に設置されている。尚、入浴者が上記各検出領域Ｍの位置を確認できるように、上記各検出領域Ｍの位置に表示（マーク）が付されている。
【００３１】
そして、図７に示すように、入浴者が上記複数の検出領域Ｍの何れかを手等で叩いて振動を発生させると、その振動は浴槽５の縁部上を伝播していくが、各振動検出センサ１６（図７では、１６ａと１６ｂで区別している）までの距離の違いによって各振動検出センサ１６で振動が検出される時刻に差が生じ、この時間差Ｔと各振動検出センサ１６の配置及び浴槽部材中の振動伝播速度に基づいて、振動が発生した浴槽縁部上の検出領域Ｍを特定することができる。また、振動波形の振幅によって振動の強度が検出される。
【００３２】
次に、複数の検出領域Ｍに対応させた操作内容の具体例について説明すると、図６に示すように、各検出領域Ｍに、オーディオ機器８のＯＮ／ＯＦＦスイッチ、ドルビーサラウンドのＯＮ／ＯＦＦスイッチ（尚、「ドルビー」はドルビー社の登録商標である）、ソース選択（ＣＤ，ＭＤ，ラジオ等）スイッチ、音量調整大、音量調整小、再生、停止、早送り、後戻りの各操作ボタンを対応させている。そして、各検出領域Ｍで発生した振動が設定強度以上であることが検出されると、その検出領域Ｍに対応させたスイッチや操作ボタンの操作内容でオーディオ機器８の作動が制御される。尚、この場合に、オーディオ機器８に対する操作内容は、入浴者の確認に便利なように、風呂リモコン３の表示部３１に文字表示されるか、あるいは、スピーカー３２によって音声で知らさせる。
【００３３】
図８に第２実施形態における制御構成のブロック図を示す。図において、風呂リモコン３の制御部３０内に、前記複数の振動検出センサ１６の検出信号に基づいて、振動の発生タイミング及び振動の強度を検出するタイミング及び強度検出部３０ｄと、振動の発生した検出領域Ｍの位置を特定する位置検出部３０ｅが設けられ、さらに、これらの各検出部３０ｄ，３０ｅの検出情報に基づいて、前記オーディオ機器８に対する操作内容（イベント）を検出するイベント検出部３０ｃが設けられている。
そして、上記タイミング及び強度検出部３０ｄ、位置検出部３０ｅ及び前記振動検出センサ１６によって前記動作検出手段１０１が構成され、上記イベント検出部３０ｆによって前記制御手段１００が構成されている。
【００３４】
〔第３実施形態〕
次に、本発明に係る浴室用機器の制御装置の第３実施形態について説明する。この第３実施形態では、前記動作検出手段１０１の具体構成が一部異なる点を除いて、上記第２実施形態と同様に構成されている。  具体的には、図９に示すように、前記動作検出手段１０１が、前記振動の発生を検出する検出領域Ｍを浴槽５内の湯面上に複数設定して、その複数の検出領域Ｍの何れかで発生する振動を浴槽５内の異なる位置で検出する複数の振動検出センサ１７を備えている。上記検出領域Ｍは、入浴者の左右両側及び前側の湯面上に９個設定され、振動検出センサ１７は水中マイクにて構成されて、浴槽５内の少なくとも３箇所に設置されている。尚、図示しないが、入浴者が上記各検出領域Ｍの位置を確認できるように、各検出領域Ｍの位置を示すマーク（矢印等）が浴槽５の縁部上に付されている。
【００３５】
そして、入浴者が上記複数の検出領域Ｍの何れかの湯面を手等で叩いて振動を発生させると、その振動は浴槽５内の水中を伝播するが、各振動検出センサ１７までの距離の違いによって各振動検出センサ１７で振動が検出される時刻に差が生じ、この時間差と３個の振動検出センサ１７の配置及び水中での振動伝播速度に基づいて、振動が発生した湯面上の検出領域Ｍを特定することができる。また、振動波形の振幅によって振動の強度が検出される。  尚、複数の検出領域Ｍに対応させた操作内容は、図９に示すように、第２実施形態と同様に設定されている。そして、各検出領域Ｍで発生した振動が設定強度以上であることが検出されると、その検出領域Ｍに対応させたスイッチや操作ボタンの操作内容でオーディオ機器８の作動が制御される。
【００３６】
図１０に第３実施形態における制御構成のブロック図を示す。尚、この図１０は第２実施形態における図８に対応するものであり、図８との違いは、複数の振動検出センサ１７が水中マイクで構成されている点であり、その他は図８と同様に構成されている。
【００３７】
〔別実施形態〕
以下に別実施形態を説明する。  上記第１〜第３実施形態では、浴室用機器Ｙを浴室外に設置した音響機器８（オーディオ機器）で構成したが、これ以外に、浴室内外に設置される各種機器、例えば、浴室内に設置される照明装置や換気扇あるいは浴室暖房乾燥機、浴室外に設置される床暖房装置等でもよい。
【００３８】
上記第１〜第３実施形態では、動作検出手段１０１が、浴槽内の入浴者が浴槽内の湯を手等でかき回して物理状態の変化として水位変化を生じさせる動作や、浴槽縁部上や湯面上の検出領域Ｍを叩いて物理状態の変化として振動を発生させるような動作を所定の動作として検出するように構成したが、これ以外の種々の動作を、その所定の動作に伴って浴槽もしくは浴槽内に生じる種々の物理状態の変化によって検出するようにしてもよい。
【００３９】
上記第２実施形態では、動作検出手段１０１が、複数の検出領域Ｍを浴槽５の縁部に設定する場合に浴槽５の縁部上（上面）に設定したが、これ以外の場所、例えば浴槽５の縁部側面に検出領域Ｍを設定するようにしてもよい。  また、上記第３実施形態では、動作検出手段１０１が、複数の検出領域Ｍを浴槽内の湯面上に設定したが、これ以外に、検出領域Ｍを浴槽内の水中（具体的には、図９に示す湯面上の各検出領域Ｍから所定深さ下方の水中位置）に設定するようにしてもよい。
さらに、動作検出手段１０１が、振動の発生を検出する検出領域Ｍを複数設定する場合に、浴槽５の縁部や浴槽内の湯面上又は水中に限らず、他の場所、例えば浴槽５の内壁部の所定位置に検出領域Ｍを設定するようにしてもよい。
【図面の簡単な説明】
【図１】  第１実施形態に係る浴室用機器の制御装置を備えた給湯風呂の全体構成図
【図２】  風呂リモコンの構成を示すブロック図
【図３】  第１実施形態に係る水位変化信号パターンの具体例を示すタイムチャート
【図４】  第１実施形態に係る水位変化信号パターンの具体例を示すタイムチャート
【図５】  第１実施形態に係る浴室用機器の制御装置の制御ブロック図
【図６】  第２実施形態に係る浴室用機器の制御装置を備えた浴槽の斜視図
【図７】  第２実施形態における振動の検出を説明するための側面図及びタイムチャート
【図８】  第２実施形態に係る浴室用機器の制御装置の制御ブロック図
【図９】  第３実施形態に係る浴室用機器の制御装置を備えた浴槽の斜視図
【図１０】  第３実施形態に係る浴室用機器の制御装置の制御ブロック図
【符号の説明】
５      浴槽
７      水位センサ
８      音響機器
９      浴室
１６    振動検出センサ
１７    振動検出センサ
１００  制御手段
１０１  動作検出手段
１０２  起動制御手段
Ｙ      浴室用機器
【図１】
0003850270.tif 000002
【図２】
0003850270.tif 000003
【図３】
0003850270.tif 000004
【図４】
0003850270.tif 000005
【図５】
0003850270.tif 000006
【図６】
0003850270.tif 000007
【図７】
0003850270.tif 000008
【図８】
0003850270.tif 000009
【図９】
0003850270.tif 000010
【図１０】
0003850270.tif 000011